(57)【要約】  固定体の開口部を閉じるときの音を軽減し、ロック部のガタ付きを防止することができる、開閉体のロック装置を提供する。  この開閉体のロック装置１０は、リッド５の両側のロック部６と、先端にたフック部２３，３６が設けられた一対のリンクロッド２０，３０と、フック部２３，３６をロック部６に係合する方向に付勢する付勢手段と、フック部２３，３６をロック部６に係合しない方向にスライドさせるプッシャ７５と、開口部両側に配設され、リッド５を開く方向に押圧する押圧部材５５と、フック部２３，３６をロック部６に係合しない状態に保持すると共に、リッド５を閉じると、フック部２３，３６の保持を解除してロック部６に係合させる保持レバー８７及び保持突部３７とを備えている。
2013129100.tif 000002
【特許請求の範囲】
【請求項１】
固定体の開口部に開閉可能に取付けられる開閉体のロック装置であって、
前記開閉体の両側又は前記固定体の開口部両側のどちらか一方に設けられたロック部と、
前記開閉体又は前記固定体のどちらか他方に取付けられ、先端にそれぞれ形成されたフック部が前記ロック部に係脱するように、互いに連動してスライド動作する一対のリンクロッドと、
該リンクロッドの各フック部を前記ロック部に係合する方向に付勢する付勢手段と、
該付勢手段の付勢力に抗して前記リンクロッドの各フック部を前記ロック部に係合しない方向にスライドさせる操作部材と、
前記固定体の開口部両側又は前記開閉体の両側に配設されると共に、前記フック部が前記ロック部に係合し、前記開口部が前記開閉体により閉じた状態で、該開閉体を開く方向に押圧する押圧部材と、
前記操作部材により前記リンクロッドの各フック部を前記ロック部に係合しない方向にスライドさせると、前記付勢手段の付勢力に抗して前記フック部を前記ロック部に係合しない状態に保持すると共に、前記開閉体を閉じると、前記フック部の保持を解除して前記フック部を前記ロック部に係合させる保持手段とを備えていることを特徴とする開閉体のロック装置。
【請求項２】
前記フック部が前記ロック部に係合して、前記固定体の開口部を前記開閉体で閉じた状態で、前記フック部と前記押圧部材とは、前記ロック部を挟んで対向した位置に配置されている請求項１記載の開閉体のロック装置。
【請求項３】
前記開閉体にピン状をなす前記ロック部が設けられ、前記固定体に前記ロック部を受け入れる凹部が形成され、前記固定体に前記押圧部材が配置されており、前記リンクロッドは、前記固定体に設けられて、前記フック部が互いに近づくように内方に付勢され、前記開閉体が閉じられたとき、前記フック部が前記凹部を閉じて、前記ロック部を抜け止めするように構成されている請求項１又は２記載の開閉体のロック装置。
【請求項４】
前記ロック部は前記固定体の開口部両側に設けられ、前記一対のリンクロッドは前記開閉体に取付けられ、前記付勢手段によって、前記各フック部が外方に突出するように付勢されている請求項１又は２記載の開閉体のロック装置。
【請求項５】
前記保持手段は、前記固定体の開口部両側又は前記開閉体の両側に配設された押圧部材のうち、少なくとも一側部に設けられた前記押圧部材に連動して、前記操作部材により前記リンクロッドの各フック部を前記ロック部に係合しない方向にスライドさせると、前記押圧部材の付勢力によって移動して前記リンクロッドに係合し、前記フック部を前記ロック部に係合しない状態に保持すると共に、前記開閉体を閉じて前記押圧部材が押圧されると、前記リンクロッドとの係合が解除されて前記フック部の保持を解除するように構成されている、請求項１〜４のいずれか１つに記載の開閉体のロック装置。
【請求項６】
前記保持手段は、前記固定体の開口部両側又は前記開閉体の両側に配設された、それぞれの押圧部材に連動するように、同じく前記固定体の開口部両側又は前記開閉体の両側にに設けられている請求項５記載の開閉体のロック装置。
【請求項７】
前記開閉体に前記操作部材が押し込み可能に配設されると共に、同開閉体に一対のリンクロッドがスライド可能に取付けられており、前記操作部材を押すことで、前記付勢手段の付勢力に抗して、各フック部が前記ロック部から外れる方向に一対のリンクロッドがスライドするように構成され、
前記保持手段は、少なくとも一方のリンクロッドに係脱する保持部材を有し、該保持部材は、前記押圧部材に一体又は連動するように設けられており、
前記操作部材を押すことにより、前記開閉体が閉じる方向に押圧されると共に、前記押圧部材が押圧されて、前記保持部材が前記リンクロッドに係合しない方向に移動するように構成されている請求項１〜６のいずれか１つに記載の開閉体のロック装置。
【請求項８】
前記開閉体に支軸を介して回動可能にレバーが取付けられており、このレバーの一端部に前記押圧部材が設けられ、同レバーの他端部に、前記保持手段をなす保持部材が、少なくとも一方のリンクロッドに係脱可能に設けられている請求項１〜７のいずれか１つに記載の開閉体のロック装置。
【請求項９】
前記保持手段の保持部は、弾性変形可能に形成されている請求項８記載の開閉体のロック装置。
【発明の詳細な説明】
【技術分野】
【０００１】
本発明は、固定体の開口部に開閉可能に取付けられる開閉体を閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。【０００３】
この種のロック装置としては、例えば、開口部に開閉可能に取付けられるリッドと、該リッドにスライド可能に取付けられるロッドと、該ロッドの先端部を、開口部内面の凹部に向けて突出する方向に付勢するリターンスプリングとを備えたものが知られている。しかし、このロック装置では、ロッド先端部の裏面側がテーパ部をなしていて、リッドを閉じるとき、上記テーパ部が開口部周縁に衝突し摺接して、ロッドが一時的に引き込んでリッドが閉じた後、再び突出して凹部に嵌合するようになっているので、ロッドと開口部周縁との衝突音が問題となることがあった。【０００４】
上記問題点を解消するため、下記特許文献１には、開閉部材と、内装部材に設けられる凹部と、該凹部に出入りするロッドと、該ロッドを前記凹部に嵌る方向に付勢するリターンスプリングとを備え、ロッドがリターンスプリングの付勢力に抗し凹部から押し出されて、開閉部材が開位置側に移動したときに、ロッドが凹部に嵌っていた状態に戻ることを防止する一本のピンと、該ピンを開閉部材に対してロッドの移動軌跡内に入る方向に付勢するピン付勢バネとを有する車両用収納装置が記載されている。【０００５】
上記車両用収納装置では、内装部材を開閉部材で閉じた状態で、ピンがピン付勢バネにより付勢されて内装部材に弾性的に当接すると共に、ロッド先端部が内装部材の凹部に嵌合し、開閉部材が閉じた状態にロックされる。この状態で操作部を操作すると、リターンスプリングの付勢力に抗してロッド先端部が凹部から引き込まれて、内装部材から開閉部材が開くようになっている。このとき、リターンスプリングの付勢力によりロッドが外方に押し出されるが、ロッドに設けられた凸部がピン基端側の円筒部に係合して、ロッドの外方への突出量が規制され、開閉部材を閉じるときの、ロッド先端部と内装部材内面とのラップ代が低減され、その摺接音が低減される。
【先行技術文献】
【特許文献】
【０００６】
【特許文献１】特許第４２４５５２８号
【発明の概要】
【発明が解決しようとする課題】
【０００７】
しかしながら、上記特許文献１の車両用収納装置では、開閉部材を開いた状態で、ロッド先端部の全部を、内装部材内面に当接しない位置まで引きこむことはできないので、打音を皆無とすることはできない。【０００８】
また、上述した一般的なロック装置においては、ロッド先端部は凹部内に入り込んで係合するようなっているが、寸法精度等によってはロッド先端部と凹部との間にガタ付きが生じる場合がある。この点、上記特許文献１の車両用収納装置では、内装部材を開閉部材で閉じた状態で、ピン付勢バネが介装された一本のピンが内装部材に弾性的に当接し、開閉部材を開く方向に付勢しているが、一本のピンで開閉部材をピンポイントで付勢しているので、開閉部材がふらつき、ロッドの係合部においてガタ付きが生じる可能性があった。【０００９】
したがって、本発明の目的は、固定体の開口部を閉じるときの音を軽減すると共に、一対のロック部と、それに係合するフック部とのガタ付きを低減することができる、開閉体のロック装置を提供することにある。
【課題を解決するための手段】
【００１０】
上記目的を達成するため、本発明は、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられ、先端にそれぞれ形成されたフック部が前記ロック部に係脱するように、互いに連動してスライド動作する一対のリンクロッドと、該リンクロッドの各フック部を前記ロック部に係合する方向に付勢する付勢手段と、該付勢手段の付勢力に抗して前記リンクロッドの各フック部を前記ロック部に係合しない方向にスライドさせる操作部材と、前記固定体の開口部両側又は前記開閉体の両側に配設されると共に、前記フック部が前記ロック部に係合し、前記開口部が前記開閉体により閉じた状態で、該開閉体を開く方向に押圧する押圧部材と、前記操作部材により前記リンクロッドの各フック部を前記ロック部に係合しない方向にスライドさせると、前記付勢手段の付勢力に抗して前記フック部を前記ロック部に係合しない状態に保持すると共に、前記開閉体を閉じると、前記フック部の保持を解除して前記フック部を前記ロック部に係合させる保持手段とを備えていることを特徴とする開閉体のロック装置を提供するものである。【００１１】
本発明の開閉体のロック装置においては、前記フック部が前記ロック部に係合して、前記固定体の開口部を前記開閉体で閉じた状態で、前記フック部と前記押圧部材とは、前記ロック部を挟んで対向した位置に配置されていることが好ましい。【００１２】
本発明の開閉体のロック装置においては、前記開閉体にピン状をなす前記ロック部が設けられ、前記固定体に前記ロック部を受け入れる凹部が形成され、前記固定体に前記押圧部材が配置されており、前記リンクロッドは、前記固定体に設けられて、前記フック部が互いに近づくように内方に付勢され、前記開閉体が閉じられたとき、前記フック部が前記凹部を閉じて、前記ロック部を抜け止めするように構成されていることが好ましい。【００１３】
本発明の開閉体のロック装置においては、前記ロック部は前記固定体の開口部両側に設けられ、前記一対のリンクロッドは前記開閉体に取付けられ、前記付勢手段によって、前記各フック部が外方に突出するように付勢されていることが好ましい。【００１４】
本発明の開閉体のロック装置においては、前記保持手段は、前記固定体の開口部両側又は前記開閉体の両側に配設された押圧部材のうち、少なくとも一側部に設けられた前記押圧部材に連動して、前記操作部材により前記リンクロッドの各フック部を前記ロック部に係合しない方向にスライドさせると、前記押圧部材の付勢力によって移動して前記リンクロッドに係合し、前記フック部を前記ロック部に係合しない状態に保持すると共に、前記開閉体を閉じて前記押圧部材が押圧されると、前記リンクロッドとの係合が解除されて前記フック部の保持を解除するように構成されていることが好ましい。【００１５】
本発明の開閉体のロック装置においては、前記保持手段は、前記固定体の開口部両側又は前記開閉体の両側に配設された、それぞれの押圧部材に連動するように、同じく前記固定体の開口部両側又は前記開閉体の両側に設けられていることが好ましい。【００１６】
本発明の開閉体のロック装置においては、前記開閉体に前記操作部材が押し込み可能に配設されると共に、同開閉体に一対のリンクロッドがスライド可能に取付けられており、前記操作部材を押すことで、前記付勢手段の付勢力に抗して、各フック部が前記ロック部から外れる方向に一対のリンクロッドがスライドするように構成され、前記保持手段は、少なくとも一方のリンクロッドに係脱する保持部材を有し、該保持部材は、前記押圧部材に一体又は連動するように設けられており、前記操作部材を押すことにより、前記開閉体が閉じる方向に押圧されると共に、前記押圧部材が押圧されて、前記保持部材が前記リンクロッドに係合しない方向に移動するように構成されていることが好ましい。【００１７】
本発明の開閉体のロック装置においては、前記開閉体に支軸を介して回動可能にレバーが取付けられており、このレバーの一端部に前記押圧部材が設けられ、同レバーの他端部に、前記保持手段をなす保持部材が、少なくとも一方のリンクロッドに係脱可能に設けられていることが好ましい。【００１８】
本発明の開閉体のロック装置においては、前記保持手段の保持部は、弾性変形可能に形成されていることが好ましい。
【発明の効果】
【００１９】
本発明によれば、固定体の開口部を開閉体で閉じて、一対のリンクロッドの各フック部が、開閉体両側又は固定体の開口部両側の各ロック部に係合した状態で、固定体の開口部両側又は開閉体両側に配設された押圧部材によって、開閉体が開く方向に押圧されるので、開閉体両側及び固定体の開口部両側に位置する両フック部と両ロック部とをバランスよく均等に且つガタ付きなく当接させることができ、車両の振動等によって異音が発生することを防止できる。【００２０】
また、開閉体が閉じてフック部がロック部に係合した状態で、操作部材を操作して付勢手段の付勢力に抗してリンクロッドの各フック部をロック部に係合しない方向にスライドさせることにより、フック部とロック部との係合が解除されて開閉体を開かせることができる。このとき、保持手段により、フック部がロック部に係合しない状態に保持される。【００２１】
そして、再び開閉体を閉じると、保持手段によるフック部の保持が解除され、一対のリンクロッドがスライドして、フック部がロック部に係合し、開閉体が閉じた状態に保持されることになる。【００２２】
このように、この開閉体のロック装置においては、開閉体を閉じると、保持手段が解除されて、フック部がロック部に係合する構造をなすので、フック部先端のテーパ部がロック部に当接して摺動しながらスライドしてロックされる従来のロック装置に比べて、開閉体をスムーズに閉じることができると共に、開閉体を閉じるときの打音を軽減することができる。
【図面の簡単な説明】
【００２３】
【図１】本発明に係る開閉体のロック装置の第１実施形態を示す分解斜視図である。
【図２】同ロック装置を構成するスライダの斜視図である。
【図３】同ロック装置を構成するロータ、付勢手段、押え部材を示す斜視図である。
【図４】同ロック装置を構成するベゼル及び押圧部材を示す斜視図である。
【図５】同ロック装置を構成するロックアッセンブリの分解斜視図である。
【図６】同ロック装置を構成するハウジングの斜視図である。
【図７】同ロック装置を構成するホルダの斜視図である。
【図８】同ロック装置を構成するロックアッセンブリの斜視図である。
【図９】同ロック装置の動作を示しており、固定体の開口部が開閉体により閉じた状態にロックされた場合の説明図である。
【図１０】同ロック装置の動作を示しており、操作部材によりロック状態が解除された場合の説明図である。
【図１１】同ロック装置の動作を示しており、保持手段によりフック部がロック部に係合しない状態に保持された場合の説明図である。
【図１２】図９の二点鎖線Ｆで囲まれた部分の拡大説明図である。
【図１３】図１１の二点鎖線Ｅで囲まれた部分の拡大説明図である。
【図１４】同ロック装置の動作を示しており、開閉体を閉じて保持手段によるフック部の保持状態が解除された場合の説明図である。
【図１５】同ロック装置において、開閉体を閉じる際のフック部の動作を示しており、（ａ）は開閉体を閉じる前の状態を示す要部拡大斜視図、（ｂ）は開閉体が閉じて、フック部が凹部を閉塞する状態を示す要部拡大斜視図である。
【図１６】本発明に係る開閉体のロック装置の第２実施形態を示しており、その要部拡大説明図である。
【図１７】本発明に係る開閉体のロック装置の第３実施形態を示しており、その要部拡大説明図である。
【図１８】本発明に係る開閉体のロック装置の第３実施形態を示しており、開閉体のロック状態が解除された場合の要部拡大説明図である。
【図１９】本発明に係る開閉体のロック装置の第４実施形態を示しており、その要部拡大説明図である。
【図２０】本発明に係る開閉体のロック装置の第５実施形態を示しており、その要部拡大斜視図である。
【図２１】同ロック装置において、固定部の開口部が開閉体により閉じた状態にロックされた場合の要部拡大説明図である。
【図２２】同ロック装置において、開閉体のロック状態が解除された場合の要部拡大説明図である。
【図２３】本発明に係る開閉体のロック装置の第６実施形態を示しており、その要部拡大説明図である。
【図２４】同ロック装置において、開閉体のロック状態が解除された場合の要部拡大説明図である。
【発明を実施するための形態】
【００２４】
以下、図１〜１５を参照して、本発明に係る開閉体のロック装置の第１実施形態について説明する。
【００２５】
図１に示すように、この実施形態における開閉体のロック装置１０（以下、「ロック装置１０」という）は、車両のインストルメントパネルに設けられたグローブボックス１（本発明における「固定体」）の開口部２に、開閉可能に取付けられるリッド５（本発明における「開閉体」）を開閉ロックするために用いられるものである。
【００２６】
前記グローブボックス１の両側上方には、取付凹部２ａ，２ｂがそれぞれ形成されている。一方、グローブボックス１の取付凹部２ａに対応して、リッド５の一側部上方には、切欠き５ｂが形成されていると共に、両側部上方には、内方に膨出した壁部６ｂを介してピン状のロック部６，６がリッド外方に向けてそれぞれ突設されている。
【００２７】
この実施形態のロック装置１０は、ロータ４０を介して連動してスライド動作する一対のリンクロッド２０，３０と、両リンクロッド２０，３０を前記ロック部６，６に係合する方向に付勢するトーションバネ４３（本発明の「付勢手段」）とを有している。
【００２８】
リンクロッド２０は、先端部側がＬ字状に屈曲した形状をなし、その先端に板状のフック部２３が内側に突出するように形成されている。フック部２３は、先端外側面がテーパ状をなすと共に、両側部にガイドリブ２３ｂ，２３ｂが設けられている。また、リンクロッド２０の基部側には、ロータ４０との連結用の連結凹部２４が設けられている。
【００２９】
一方、リンクロッド３０は、ロッド３１と、その先端に連結されるスライダ３３とから構成されている。ロッド３１は、軸方向途中が屈曲すると共に先端側が基部側と平行に伸びた形状をなし、基部側にロータ４０との連結用の連結凹部３１ａが形成され、先端に連結ピン３１ｂが突設されている。
【００３０】
図２に示すようにスライダ３３は、角柱状の基部３４と、該基部３４の先端側面から内側に向けてＬ字状に延出した延出部３５と、該延出部３５の先端から基部３４の軸心に対して直交して形成された板状のフック部３６とから構成されている。フック部３６は、先端外面がテーパ状をなすと共に、両側部にガイドリブ３６ｂ，３６ｂが設けられている。また、延出部３５の一側面には、斜面３７ａを有する保持突部３７が突設されている。更に基部３４の基端側面には連結凹部３４ａが形成され、これにロッド３１の連結ピン３１ｂが係合して、ロッド３１にスライダ３３が連結されて、リンクロッド３０が構成されるようになっている（図１参照）。また、基部３４の先端寄りの上下両側面には、斜面３８ａを有する受け部３８，３８がそれぞれ突設されている。
【００３１】
上記リンクロッド２０，３０は、図３に示すロータ４０に連結されるようになっている。このロータ４０は、その両端部に連結ピン４１，４１が突設され、それらがリンクロッド２０，３０の連結凹部２４，３１ａに脱着可能にそれぞれ嵌合して、ロータ４０の対称位置にリンクロッド２０，３０の基部側が枢着されるようになっている（図９参照）。ロータ４０には、トーションバネ４３が装着されると共に、押え部材４５を介してビス４５ａ（図１参照）によりグローブボックス１の上方外側面に取付けられており、このロータ４０によって、リンクロッド２０，３０がグローブボックス１の上面側において、同グローブボックス１の幅方向（横長の開口部２の幅方向）に沿ってスライド可能に保持されるようになっている。そして、トーションバネ４３によりロータ４０が回動付勢され、リンクロッド２０，３０のフック部２３，３６が、リッド両側のロック部６，６に係合する方向、すなわち、フック部２３，３６が互いに近づくようにグローブボックス内方に向けて付勢されるようになっている（図９の矢印Ａ参照）。
【００３２】
図１に示すように、グローブボックス１の取付凹部２ｂには、ベゼル５０が取付けられるようになっている。図４に示すように、このベゼル５０は、前方及び両側が開口し、グローブボックス１の開口部２をリッド５で閉じたときに、リッド５のピン状のロック部６を受け入れる凹部５１と、該凹部５１に連通した枠状の保持部５３とを有している。また、前記凹部５１の前方開口側の内面には、リンクロッド２０のフック部２３のガイドリブ２３ｂをガイドするガイド溝５１ａ，５１ａが形成されており、フック部２３をスライド可能に保持する部分となっている。
【００３３】
前記保持部５３には、押圧ピン５６とコイルスプリング５９とからなる押圧部材５５が保持されるようになっている。押圧ピン５６は、前面にゴムやスポンジ等からなる弾性部材５７ａが固設された基部５７と、該基部５７の後面から伸びる柱状部５８とからなる。そして、凹部５１内に基部５７が配置され、保持部５３内に柱状部５８が配置された状態で、柱状部５８外周にコイルスプリング５９が介装され、押圧ピン５６がベゼル前方に向けて押し出し付勢されており、リンクロッド２０のフック部２３がロック部６に係合し、グローブボックス１の開口部２がリッド５で閉じた状態で、リッド５のロック部６を開く方向に押圧するようになっている（図９の矢印Ｂ参照）。この状態でフック部２３と押圧部材５５とは、ロック部６を挟んで対向した位置に配置されるようになっている。
【００３４】
一方、グローブボックス１の取付凹部２ａには、複数の構成部材からなるロックアッセンブリ１５が取付けられている（図１参照）。図５及び図８に示すように、このロックアッセンブリ１５は、ハウジング６０と、キーシリンダ７０と、カバー７１と、ストライカ７３と、プッシャ７５と、ホルダ８０と、リンクロッド３０の一部である前述のスライダ３３と、押圧部材５５とから主として構成されている。
【００３５】
図６を併せて参照すると、ハウジング６０は、キーシリンダ７０及びストライカ７３が収容される箱状のキー配置部６１と、該キー配置部６１の上方に連設され、プッシャ７５及びスライダ３３が保持される枠状のスライダ保持部６２とから主として構成されている。
【００３６】
前記キー配置部６１には、上下方向にストライカ通路６３が形成され、ストライカ７３が上下スライド可能に配置されていると共に、その前面からキー収容筒６４が突設されて、キーシリンダ７０が回転可能に収容されている。キー収容筒６４の外周には、カバー７１（図５参照）が装着されている。そして、キーシリンダ７０のキー溝に図示しないキーを差し込んで回転させると、キーシリンダ７０の後方から突設した図示しないピンが、ストライカ７３の摺動凹部７３ａ（図５参照）を摺動し、ストライカ７３を上下にスライドさせて、スライダ３３の下面に係脱するように構成されており、スライダ３３のスライド動作がロック又はロック解除がなされるようになっている。
【００３７】
また、スライダ保持部６２は、両側部及び後方が開口したコ字枠状をなしており、その内周にスライダ３３がグローブボックス１の幅方向に沿ってスライド可能に保持されるようになっている。このスライダ保持部６２の前面からはスプリング保持筒６５が突設され、その上下に一対のスリット６６，６６がコ字枠状の内部に連通して形成されている。また、スライダ保持部６２の上方中央にはクッション取付孔６７が形成され、下記プッシャ７５に接離するゴム等からなるクッション６９（図５参照）が取付けられている。
【００３８】
そして、スライダ３３のスライド方向に直交する方向に押し込み可能となるように、スライダ保持部６２の前方にプッシャ７５（本発明の「操作部材」）が抜け止め保持されている。このプッシャ７５の裏面側からは、前記スリット６６，６６に挿通される板状の押圧リブ７７，７７が突設されている。各押圧リブ７７の先端には、スライダ３３の受け部３８の斜面３８ａ（図２参照）に摺接する斜面７７ａがそれぞれ形成されている。また、コイルスプリング７８の一端が前記スプリング保持筒６５に保持され、他端がプッシャ７５の裏面側に保持され、プッシャ７５がスライダ保持部６２の前面から離れる方向に付勢されている。
【００３９】
そして、コイルスプリング７８の付勢力に抗してプッシャ７５を押すと、各押圧リブ７７の斜面７７ａがスライダ３３の各受け部３８の斜面３８ａ上を摺接し、トーションバネ４３の付勢力に抗してリンクロッド３０をスライドさせると共に、ロータ４０を介してリンクロッド２０をスライドさせて、それらのフック部２３，３６をリッド５のロック部６，６に係合しない方向、すなわち、フック部２３，３６が互いに遠ざかるようにグローブボックス外方に向けてスライドさせるようになっている（図９及び図１０参照）。
【００４０】
上記ハウジング６０の側方には、ホルダ８０が取付けられている。図７に示すように、このホルダ８０は、前方及び両側が開口し、グローブボックス１の開口部２をリッド５で閉じたときに、リッド５のピン状のロック部６を受け入れる凹部８１と、該凹部８１に連通した枠状の保持部８３と、ハウジング６０への取付用の取付部８５とから構成されている。凹部８１の前方開口側の内面には、リンクロッド３０のフック部３６のガイドリブ３６ｂをガイドするガイド溝８１ａ，８１ａが形成され、フック部３６をスライド可能に保持する部分となる。また、ホルダ８０の側方には、図示しないクッション取付孔が形成され、前記スライダ３３に接離するクッション６９（図５参照）が取付けられている。
【００４１】
上記保持部８３には、前述したベゼル５０の保持部５３と同様に押圧部材５５が保持されるようになっており、この押圧部材５５によって、リンクロッド３０のフック部３６がロック部６に係合し、グローブボックス１の開口部２がリッド５で閉じた状態で、リッド５のロック部６を開く方向に押圧するようになっている（図９の矢印Ｂ参照）。この状態でフック部３６と押圧部材５５とは、ロック部６を挟んで対向した位置に配置されるようになっている。
【００４２】
また、ホルダ８０には保持レバー８７が配設されるようになっている（図５参照）。この保持レバー８７は、基端側がカギ溝状をなし、押圧部材５５を構成する押圧ピン５６の柱状部５８に対して直交する方向に取付けられていると共に（図１２及び図１３参照）、その先端部８８が前記スライダ３３の保持突部３７に接離する部分をなしている（図９〜１１参照）。図１３に示すように、保持レバー８７の先端部８８の一側面からは、斜面８９ａを有する突部８９が突設されている。更に保持レバー８７は、リンクロッド３０のフック部３６がロック部６に係合する方向に付勢されている状態で、スライダ３３の保持突部３７の斜面３７ａ上方に、先端部８８が位置するように配置されている（図９及び図１２参照）。
【００４３】
なお、フック部３６をロック部６に係合しない方向にスライドさせるべくプッシャ７５が押され、保持レバー８７をスライダ３３の保持突部３７を乗り越えるとき、保持レバー８７は、図１２の二点鎖線に示すように、基端側を支点として、先端部８８が保持突部３７から離れる方向に揺動するように構成されている。
【００４４】
そして、図９に示すように、リンクロッド２０，３０のフック部２３，３６がリッド５のロック部６，６に係合した状態で、プッシャ７５を押してフック部２３，３６をロック部６，６に係合しない方向にスライドさせると、図１２に示すように、リンクロッド３０のスライダ３３の保持突部３７が、保持レバー８７の突部８９をコイルスプリング５９の付勢力に抗して押込んで、保持レバー８７を揺動させつつ、その外側に移動していき、保持突部３７が保持レバー８７の突部８９を乗り越えると、保持レバー８７の先端部８８の端面に係合する（図１３参照）。その結果、フック部３６の内側への移動が制止され、トーションバネ４３の付勢力によって内側に付勢された一対のリンクロッド２０、３０の内側へのスライドが制止されて、フック部２３，３６がロック部６，６に係合しない状態に保持される。
【００４５】
この状態でリッド５を閉じると、図１４に示すように、ロック部６，６が押圧部材５５，５５をそれぞれ押圧して、保持レバー８７と保持突部３７とを係合解除し、フック部２３，３６の保持状態が解除され、トーションバネ４３の付勢力によって、ベゼル５０の凹部５１及びホルダ８０の凹部８１の開口を閉じるように、フック部２３，３６がスライドして（図１５（ａ），（ｂ）参照）、ロック部６，６に再係合する（図９参照）。
【００４６】
すなわち、押圧部材５５に取付けられた保持レバー８７と、リンクロッド３０のスライダ３３に設けられた保持突部３７とが本発明における「保持手段」をなしている。なお、便宜上、図１５（ａ），（ｂ）においては、ロックアッセンブリ１５のハウジング６０やプッシャ７５等が省略されている。
【００４７】
次に、上記構成部材からなるロック装置１０の作用効果について説明する。
【００４８】
まず、この実施形態では、図５に示すように、ハウジング６０と、キーシリンダ７０と、カバー７１と、ストライカ７３と、プッシャ７５と、ホルダ８０と、リンクロッド３０のスライダ３３と、押圧部材５５とが組付けられて、ロックアッセンブリ１５として一体化しているので、これをグローブボックス１の取付凹部２ａ（図１参照）に取付けるだけで、複数の構成部材をグローブボックス１に容易に取付けることができ、取付作業性を向上させることができる。
【００４９】
そして、このロック装置１０においては、図９に示すように、リンクロッド２０，３０のフック部２３，３６がリッド５のピン状のロック部６，６にそれぞれ係合して、グローブボックス１の開口部２がリッド５で閉塞された状態では、各押圧部材５５の押圧ピン５６，５６がリッド５のロック部６，６をそれぞれ押圧して、リッド５を開く方向に付勢するようになっているので、フック部２３，３６とロック部６，６とが常にガタ付きなく当接して、車両の振動等によって異音が発生することを効果的に防止することができる。
【００５０】
上記状態でグローブボックス１の開口部２を開く場合には、コイルスプリング７８（図５参照）の付勢力に抗してプッシャ７５を押す。すると、各押圧リブ７７の斜面７７ａがスライダ３３の各受け部３８の斜面３８ａ上を摺接し、トーションバネ４３（図１参照）の付勢力に抗してリンクロッド３０がスライドすると共に、ロータ４０を介してリンクロッド２０をスライドさせ、フック部２３，３６をロック部６，６に係合しない方向にスライドするので、グローブボックス１の開口部２からリッド５を移動させて、開口部２を開くことができる（図１１参照）。
【００５１】
上記のようにフック部２３，３６がロック部６，６に係合しない方向にスライドすると、図１２に示すように、リンクロッド３０のスライダ３３の保持突部３７が、保持レバー８７の突部８９をコイルスプリング５９の付勢力に抗して押込んで、保持レバー８７を揺動させつつ、その外側に移動していき（図１０参照）、保持突部３７が保持レバー８７の突部８９を乗り越えると、保持レバー８７の先端部８８の端面に係合する（図１３参照）。その結果、フック部３６の内側への移動が制止され、トーションバネ４３の付勢力によって内側に付勢された一対のリンクロッド２０、３０の内側へのスライドが制止されて、フック部２３，３６がロック部６，６に係合しない状態に保持される（図１１参照）。
【００５２】
そして、グローブボックス１の開口部２を閉じる方向にリッド５を移動させると、開口部両側に配置されたベゼル５０の凹部５１（図４参照）、及び、ロックアッセンブリ１５を構成するホルダ８０の凹部８１（図７参照）に、リッド５のロック部６，６がそれぞれ入り込み、同ロック部６，６が、コイルスプリング５９の付勢力に抗して押圧ピン５６，５６をそれぞれ押圧する（図１４参照）。すると、保持レバー８７の先端部８８がリンクロッド３０のスライダ３３の保持突部３７から離れて、保持レバー８７と保持突部３７との係合状態が解除されるので、フック部２３，３６の保持状態が解除される。その結果、トーションバネ４３の付勢力により、リンクロッド２０，３０のフック部２３，３６が互いに近づく方向に移動し、ベゼル５０の凹部５１を閉塞するようにフック部２３がスライドすると共に、ホルダ８０の凹部８１を閉塞するようにフック部３６がスライドして、フック部２３，３６がロック部６，６を抜け止めするようにそれぞれ係合して、グローブボックス１の開口部２をリッド５で閉じた状態にロックすることができる（図９及び図１５（ｂ）参照）。
【００５３】
このように、このロック装置１０においては、保持レバー８７とスライダ３３の保持突部３７とからなる保持手段によって、開口部２からリッド５を開いたときに、フック部２３，３６がロック部６，６に係合しない状態に保持することができると共に、開口部２をリッド５で閉じたとき、保持手段が解除されて、フック部２３，３６がロック部６，６に係合する構造となっているので、リッド５を抵抗なくスムーズに閉じることができ、かつ、リッド５を閉じるときの打音を低減することができる。
【００５４】
また、この実施形態では、フック部２３，３６がリッド５のロック部６，６にそれぞれ係合して、グローブボックス１の開口部２をリッド５で閉じたとき、フック部２３，３６と押圧部材５５，５５とは、ロック部６，６を挟んで対向した位置に配置され、フック部２３，３６と押圧部材５５，５５との間にロック部６，６が挟み込まれることとなり、押圧部材５５の押圧力がロック部６，６に作用しやすくるなるので、フック部２３，３６とロック部６，６とを、よりガタ付きなくしっかりと係合させることができる。
【００５５】
更に本実施形態では、リッド５にピン状のロック部６，６が設けられ、グローブボックス１にリンクロッド２０，３０、押圧部材５５，５５、及び、ロック部６，６を受け入れる凹部５１，８１がそれぞれ設けられており、開口部２をリッド５で閉じると、ベゼル５０の凹部５１及びホルダ８０の凹部８１にロック部６，６がそれぞれ入り込んだ後、保持手段が解除されて、凹部５１，８１の前方開口を閉じるように板状のフック部２３，３６がそれぞれスライドして抜け止めするように構成されている（図１５（ａ），（ｂ）参照）。この態様によれば、グローブボックス１側にリンクロッド２０，３０と押圧部材５５，５５とが設けられ、リッド５側にはピン状をなすロック部６，６を設けるだけでよいので、リッド５を薄型化して収容空間を広くできると共に、リッド５を開いたときの見栄えを良好にすることができる。
【００５６】
また、本実施形態では、リンクロッド３０側の押圧部材５５の押圧ピン５６に、保持手段を構成する保持レバー８７が取付けられ、押圧部材５５の動作に保持手段が連動するように構成されているので、押圧部材５５と保持手段の部材を共通化でき、部品点数を減らして構造の簡素化を図ることができる。
【００５７】
図１６には、本発明に係る開閉体のロック装置の第２実施形態が示されている。なお、前記実施形態と実質的に同一部分には同符号を付してその説明を省略する。
【００５８】
図１６に示す要部拡大説明図のように、この実施形態の開閉体のロック装置１０ａ（以下、「ロック装置１０ａ」）は、第１実施形態に対してプッシャ７５の位置が異なっている。
【００５９】
この実施形態のリッド５ａは、プッシャ取付孔７ａが形成されたパネル７と、その裏面側に固設されると共に、側部に挿出孔８ａが形成されたボックス８とからなり、プッシャ取付孔７ａにプッシャ７５が押し込み可能に抜け止め保持されている。また、リッド５ａの内部空間には、一端面が斜面９０ａをなすと共に他端面から押圧ロッド９０ｂが突設されたスライダ９０が、リッド５ａの幅方向に沿ってスライド可能に配置されている。
【００６０】
そして、グローブボックス１の開口部２がリッド５ａで閉じた状態で、プッシャ７５を押し込むと、図示しない付勢手段の付勢力に抗して、斜面７７ａ，９０ａを介してスライダ９０がスライドし、挿出孔８ａから突出した押圧ロッド９０ｂがリンクロッド３０のフック部３６を外方に押し込んで、ロック部６との係合が解除されるようになっている。
【００６１】
図１７及び図１８には、本発明に係る開閉体のロック装置の第３実施形態が示されている。なお、前記実施形態と実質的に同一部分には同符号を付してその説明を省略する。
【００６２】
図１７に示す要部拡大説明図のように、この実施形態の開閉体のロック装置１０ｂ（以下、「ロック装置１０ｂ」）は、ロック部が固定体側に形成されている点で、前記実施形態と異なっている。すなわち、グローブボックス１の開口部２の両側部内面に、凹状のロック部６ａがそれぞれ形成されている。
【００６３】
また、この実施形態のリッド５ｂは、プッシャ取付孔７ａが形成されたパネル７と、その裏面側に固設されたボックス８と、該ボックス８の側部に形成され、リンクロッド３０ａのフック部３６ａが挿出する挿出孔８ａと、ボックス８の側部のパネル側に形成され、押圧部材の先端部が配置される配置孔８ｂとから構成されている。
【００６４】
上記リッド５ｂのプッシャ取付孔7ａにプッシャ７５（本発明の「操作部材」）が押し込み可能に抜け止め保持されていると共に、リッド５ｂの内部空間には、互いに連動して外方又は内方にスライド動作する一対のリンクロッド（図１７，１８は部分拡大図であるため、一方のリンクロッド３０ａのみが示され、他方のリンクロッドは示されていない）が取付けられている。また、図示しない付勢手段によって、リンクロッド３０ａは、そのフック部３６ａがリッド外方に向けて付勢されるようになっている（図１７の矢印Ｃ参照）。更に、リンクロッド３０ａの軸方向途中には斜面３９が形成され、リンクロッド３０ａの先端側一側面には、保持突部９１が突設されている。
【００６５】
そして、リッド５ｂに対してプッシャ７５を押し込むことで（矢印Ｇ参照）、図示しない付勢手段の付勢力に抗して、フック部３６ａがロック部６ａから外れる方向にリンクロッド３０ａがスライドすると共に、これに連動して図示しないリンクロッドも、そのフック部がロック部６ａから外れる方向にスライドするように構成されている。
【００６６】
また、リッド５ｂの内部空間には、支軸９３ａを介して押圧アーム９３が、その先端部を前記配置孔８ｂに配置した状態で回動可能に保持されていると共に、トーションバネ９４により、押圧アーム９３の先端部がリッド後方側に向けて付勢されており、これらの押圧アーム９３及びトーションバネ９４が押圧部材９２を構成している。
【００６７】
更に、挿通孔９６ａを有する棒状のロックバー９６が、挿通孔９６ａにリンクロッド３０ａの先端部を挿通させて配設されている。このロックバー９６は、その一端が押圧アーム９３の基端部に支軸９６ｂを介して回動可能に連結され、押圧アーム９３の回動に伴ってリンクロッド３０ａとほぼ直交する方向にスライド動作し、リンクロッド３０ａの保持突部９１に係脱するようになっている（図１７及び図１８参照）。このロックバー９６及びリンクロッド３０ａの保持突部９１が、本発明における「保持手段」をなし、更にロックバー９６が、本発明における「保持部材」をなしている。更にこのロックバー９６は、上述したように押圧部材９２の押圧アーム９３に対して回動可能に連結されているので、ロックバー９６と押圧アーム９３とが連動するようになっている。
【００６８】
また、リンクロッド３０ａのフック部３６ａが、グローブボックス１の開口部２の凹状のロック部６ａに係合し、開口部２がリッド５ａで閉塞された状態で、押圧アーム９３の先端部が開口部２の前方開口部周縁に圧接され、リッド５ａを開く方向に付勢することにより、フック部３６ａがロック部６ａの内周面に押し付けられて、ガタ付きが防止されるようになっている（図１７の矢印Ｄ参照）。
【００６９】
そして、グローブボックス１の開口部２がリッド５ａで閉じた状態で、リッド５ａに対してプッシャ７５を押し込むと、図示しない付勢手段の付勢力に抗して、斜面７７ａ，３９を介してリンクロッド３０ａがリッド内方に向けてスライドし、ロックバー９６が保持突部９１を乗り越えて、保持突部９１がロックバー９６の挿通孔９６ａ周縁に係合すると、リンクロッド３０ａが挿出孔８ａからリッド内方に引き込まれて、フック部３６ａが凹状のロック部６ａに係合しない状態に保持されるようになっている（図１８参照）。この状態でリッド５ａを閉じると、押圧アーム９３の先端部が、グローブボックス１の開口部２の前方開口部周縁に当接して、押圧アーム９３が回動すると共にロックバー９６がスライドして保持突部９１から外れ、図示しない付勢手段によってリンクロッド３０ａがリッド外方に付勢されて、フック部３６ａがロック部６ａに再係合するようになっている（図１７参照）。
【００７０】
更にこの実施形態においては、リッド５ｂに対してプッシャ７５を押すことにより（矢印Ｇ参照）、リッド５ｂがグローブボックス１の開口部２を閉じる方向に押圧されると共に、押圧アーム９３の先端部が押されて支軸９３ａを介して回動し、これに連動してロックバー９６が、その挿通孔９６ａの周縁にリンクロッド３０ａの保持突部９１が係合しない方向となるようにスライドするように構成されている（図１７の二点鎖線参照）。
【００７１】
したがって、リッド５ｂが閉じた状態、すなわち、リンクロッド３０ａのフック部３６ａがロック部６ａに係合し、図示しないリンクロッドのフック部もロック部６ａに係合して、ロックバー９６がリンクロッド３０ａに係合していない状態で、矢印Ｇに示すようにプッシャ７５を押すと、それに伴ってリッド５ｂが矢印Ｈ方向に押圧され、それと共に押圧アーム９３が開口部２の前方開口部周縁に押圧され、更にロックバー９６がリンクロッド３０ａに係合しない方向に移動する（図１７の二点鎖線参照）。
【００７２】
その結果、ロックバー９６がリンクロッド３０ａに係合することを防止して、フック部３６ａがロック部６ａから外れる方向に、リンクロッド３０ａをスムーズに移動させることができ、これに連動させて図示しない他方のリンクロッドもロック部６ａから外れる方向に移動させることができる。
【００７３】
また、一方のリンクロッド３０ａ及び他方のリンクロッドが、ロック部６ａから外れる方向にスライドすると、前述したように、リンクロッド３０ａの保持突部９１がロックバー９６の挿通孔９６ａ周縁に係合するので、フック部３６ａが凹状のロック部６ａに係合しない状態に保持される。このため、そのまま手を離せば、リッド５ｂは、その自重等によって開くこととなり、リッド５ｂの前面に、押込可能な操作部材であるプッシャ７５を設けても、リッド５ｂの開閉動作をスムーズに行わせることができる。
【００７４】
図１９には、本発明に係る開閉体のロック装置の第４実施形態が示されている。なお、前記実施形態と実質的に同一部分には同符号を付してその説明を省略する。
【００７５】
図１９に示す要部拡大説明図のように、この実施形態の開閉体のロック装置１０ｃ（以下、「ロック装置１０ｃ」）は、リッド内に一対のリンクロッドが配設された第３実施形態と基本的に同様の構造をなしており、プッシャ７５がグローブボックス１側に配設されている点が異なっている。
【００７６】
すなわち、グローブボックス１の開口部２の開口周縁に、プッシャ７５が押し込み可能に抜け止め保持されている。また、このプッシャ７５に隣接した位置に、斜面９７ａを有すると共に押圧ロッド９７ｂが突設されたスライダ９７が、グローブボックス１の開口部２の幅方向に沿ってスライド可能で、その押圧ロッド９７ｂが凹状のロック部６ａに出没可能となるように設置されている。
【００７７】
そして、グローブボックス１の開口部２がリッド５ａで閉じた状態で、プッシャ７５を押し込むと、図示しない付勢手段の付勢力に抗して、斜面７７ａ，９７ａを介してスライダ９７がスライドし、リンクロッド３０ａのフック部３６ａをリッド内方に押し込んで、凹状のロック部６ａとの係合が解除されるようになっている。
【００７８】
図２０〜２２には、本発明に係る開閉体のロック装置の第５実施形態が示されている。なお、前記実施形態と実質的に同一部分には同符号を付してその説明を省略する。
【００７９】
この実施形態の開閉ロック装置１０ｄ（以下、「ロック装置１０ｄ」）は、押圧部材と保持手段とを一体的に設けたレバー１００を備える点で、前記実施形態と異なっている。
【００８０】
また、この実施形態のリッド５ｃは、第３実施形態のリッド５ｂ（図１７及び図１８参照）とほぼ同様の構造をなし、操作部材としてのプッシャ７５が、リッド５ｃの前面に押し込み可能に抜け止め保持されている。リッド５ｃの内部には、一対のリンクロッド（図２０〜２２にはそのうちの一方のリンクロッド３０ｂのみが図示されている）が支持部材９を介してスライド可能に取付けられている。
【００８１】
支持部材９は、リッド５ｃの内面から立設された一対の脚部９ａと、脚部９ａ，９ａどうしを連結する板部９ｂと、この板部９ｂに形成された、リンクロッド３０ｂが挿通される支持孔９ｃとを有している。支持孔９ｃの内周には、弾性爪１１１を有するガイド部材１１０が取付けられており、弾性爪１１１がリンクロッド３０ｂの外周に弾性的に当接して、リンクロッド３０ｂをガタ付きなくスライドガイドするようになっている。
【００８２】
リンクロッド３０ｂのフック部３６ａの、先端からやや離れた位置のパネル７側の一側面からは、板状体３２が延設されており、この板状体３２の先端部の幅方向両側からは、四角柱状の係合突起３２ａ，３２ａがそれぞれ突設されている。
【００８３】
また、支持部材９の一対の脚部９ａの内側面には、支軸１０２を介して、レバー１００が揺動可能に支持されている。レバー１００は、支軸１０２を介して脚部９ｃに揺動可能に装着された、所定の屈曲形状をなす本体部１０１と、該本体部１０１の一端から延出した押圧アーム１０３と、前記本体部１０１の他端両側から弾性変形可能に突設され、前記リンクロッド３０ｂの係合突起３２ａに対して係脱する一対の保持爪１０５，１０５とを有している。
【００８４】
そして、本体部１０１にトーションバネ１０７が装着され、押圧アーム１０３の先端部がリッド後方側に向けて付勢されており、これらのトーションバネ１０７及び押圧アーム１０３が本発明における「押圧部材」をなしている。また、保持爪１０５とリンクロッド３０ｂの係合突起３２ａとが本発明における「保持手段」をなし、更に保持爪１０５が本発明における「保持部材」をなしている。
【００８５】
また、本体部１０１の屈曲部分のパネル７側の側面には、回動ストッパ１０１ａが突設されており、これが前記支持部材９の脚部９ａの内側に設置されたブロック９ｅの角部に当接することで、レバー１００の回動角度が規制されるようになっている（図２２参照）。
【００８６】
各保持爪１０５は、基部側が薄肉で撓み可能とされていると共に、先端側には、次第に厚肉とされたテーパ面を有する係合部１０５ａが設けられている。また、図２１に示すように、グローブボックス１の開口部２がリッド５ｃで閉じた状態で、前記保持爪１０５は、リンクロッド３０ｂの係合突起３２ａに隣接して配置され、その係合部１０５ａが、係合突起３２ａよりもリンクロッド３０ｂの基部側に位置している。
【００８７】
そして、グローブボックス１の開口部２がリッド５ｃで閉じられた状態で、リッド５ｃに対してプッシャ７５を押し込むと（矢印Ｇ参照）、図示しない付勢手段の付勢力に抗して、斜面７７ａ，３９を介してリンクロッド３０ｂがリッド内方に向けてスライドし、その係合突起３２ａが保持爪１０５の係合部１０５ａに当接して、保持爪１０５を弾性変形させながら移動し、係合突起３２ａが保持爪１０５の係合部１０５ａを乗り越えると、係合部１０５ａが係合突起３２ａのフック部先端側の端面に係合して、リンクロッド３０ｂのフック部３６ａが凹状のロック部６ａに係合しない状態に保持されるようになっている（図２２参照）。
【００８８】
この状態でリッド５ｃを閉じると、レバー１００の先端部が、グローブボックス１の開口部２の前方開口部周縁に当接して、レバー１００が支軸１０２を介して回動し、保持爪１０５の係合部１０５ａが係合突起３２ａから外れ、それにより図示しない付勢手段によってリンクロッド３０ｂがリッド外方に付勢されて、フック部３６ａがロック部６ａに再係合するようになっている（図２１参照）。
【００８９】
この実施形態では、保持手段の保持部材として、弾性変形可能とされた保持爪１０５を採用したので、リンクロッド３０ｂのフック部３６ａを、グローブボックス１のロック部６ａに係合しない状態に移動させる際に、保持爪１０５を弾性変形させることで、リンクロッド３０ｂの係合突起３２ａを、保持爪１０５を越えて移動させて、ロックが解除された状態で係合突起３２ａを保持爪１０５に係合させることができるので（図２２参照）、リンクロッド３０ｂのスライド移動をスムーズに行わせて、プッシャ７５によるロック解除を迅速に行うことができる。
【００９０】
また、この実施形態では、リッド５ｃに取付けられたレバー１００の一端部に押圧部材を構成する押圧アーム１０３を設け、他端部に保持手段の保持部材をなす保持爪１０５を設けたので、リッド５ｃに押圧部材及び保持手段を容易に取付けることができ、また、押圧部材と保持手段とを一体化することができるので、リッド５ｃの厚みをなるべく薄くして、省スペース化を図ることができる。
【００９１】
更にこの実施形態では、前記第３実施形態と同様に、リッド５ｃに対してプッシャ７５を押すことにより（矢印Ｇ参照）、リッド５ｃがグローブボックス１の開口部２を閉じる方向に押圧されると共に（矢印Ｈ参照）、レバー１００の先端部が押されて支軸１０２を介して回動し、これに連動して保持爪１０５がリンクロッド３０ｂから係合しない方向に移動、すなわち、保持爪１０５がリンクロッド３０ｂの係合突起３２ａからやや離れる方向に回動するようになっている。
【００９２】
そのため、リンクロッド３０ｂの係合突起３２ａが、レバー１００の保持爪１０５を乗り越えやすくさせて、リンクロッド３０ｂをスムーズに移動させることができる。また、リンクロッド３０ｂの係合突起３２ａが、レバー１００の保持爪１０５を乗り越えると、係合部１０５ａが係合突起３２ａのフック部先端側の端面に係合して、リンクロッド３０ｂのフック部３６ａが凹状のロック部６ａに係合しない状態に保持されるので、その状態で手を離すことにより、例えばリッド５ｃの自重等によって、リッド５ｃを開かせることができる。
【００９３】
図２３及び図２４には、本発明に係る開閉体のロック装置の第６実施形態が示されている。なお、前記実施形態と実質的に同一部分には同符号を付してその説明を省略する。
【００９４】
この実施形態の開閉ロック装置１０ｅ（以下、「ロック装置１０ｅ」）は、前記第５実施形態のロック装置１０ｄに対して操作部材が異なっている。
【００９５】
すなわち、このロック装置１０ｅの操作部材７６は、箱状のハウジング７６ａと、該ハウジング７６ａの前面に回動可能に装着されたハンドル７６ｂとから構成されており、リッド５ｃのハンドル取付孔７ｂにハンドル７６ｂを押し引き可能となるように取付けられている。また、ハンドル７６ｂの上方の幅方向両側部が、ハウジング７６ａに回動支持され、更にハンドル７６ｂの背面からは、図示しない押圧突起が突出している。
【００９６】
そして、グローブボックス１の開口部２がリッド５ｃで閉じた状態で（図２３参照）、ハンドル７６ｂを上方に引き上げると、その押圧突起が、リンクロッド３０ｂの図示しないカム面を押圧して、付勢手段の付勢力に抗してリンクロッド３０ｂをリッド内方にスライドさせ、保持爪１０５の係合部１０５ａが係合突起３２ａに係合することで、リンクロッド３０ｂのフック部３６ａが凹状のロック部６ａに係合しない状態に保持されるようになっている（図２４参照）。
【００９７】
なお、上記のような、ハンドルを引き上げることにより、カム面を介してリンクロッドを引き込む構造としては、例えば、特開２００９−１８００２８号公報に記載されたような構造を採用することができ、既に公知であるので、その詳細な説明は省略する。
【００９８】
なお、以上の実施形態では、開閉体のロック装置を、グローブボックス１の開口部２にリッド５，５ａ，５ｂ，５ｃが開閉可能に取付けられた構造に適用したが、これに限定されず、例えば、インストルメントパネルの開口部にグローブボックスが回動可能に取付けられた構造や（インストルメントパネルが「固定体」、グローブボックスが「開閉体」をなす）、インストルメントパネルの開口部にリッドが開閉可能に取付けられた構造（インストルメントパネルが「固定体」、リッドが「開閉体」をなす）等に適用してもよく、固定体の開口部を開閉する各種の開閉体に広く用いることができる。
【００９９】
また、上記各実施形態においては、プッシャを押し込むことにより、一方のリンクロッドを直接的に又は間接的にスライドさせ、それに連動させて他方のリンクロッドをスライドさせる構造となっているが、この構造に限定されるものではなく、例えば、図２３及び図２４の第６実施形態に示されるように、ハンドル７６ｂを回動したり押し引きしたりして、一対のリンクロッドをスライドさせる構造としてもよい。また、一対のリンクロッドはロータを介して連動するようになっているが、これに限定されるものではない。例えば、ロータの代わりにピニオンギヤを採用し、一対のリンクロッドにラック溝をそれぞれ形成してピニオンギヤに歯合させ、一方のリンクロッドをスライドさせることで、ピニオンギヤを介して他方のリンクロッドをスライドさせるようにしてもよい。
【０１００】
更に上記各実施形態では、グローブボックスの開口部両側又はリッドの両側に押圧部材がそれぞれ設けられ、グローブボックスの開口部の一側部又はリッドの一側部に保持手段が設けられているが、この保持手段を、両押圧部材のそれぞれに連動するように、グローブボックスの開口部両側又はリッドの両側部にそれぞれ設けるようにしてもよい。この態様によれば、保持手段がグローブボックスの開口部両側又はリッドの両側部にそれぞれ設けられているので、開閉体を閉じたとき、両側部の押圧部材が押され、それに連動して両側部の保持手段がリンクロッドとの係合を解除し、リンクロッドが付勢手段によってスライドしてフック部がロック部に係合するので、一方のリンクロッドのフック部のみがロック部に係合する事態（いわゆる片掛り）を防止して、一対のリンクロッドの各フック部を両ロック部に確実に係合させることができる。
【符号の説明】
【０１０１】
１  グローブボックス（固定体）
２  開口部
２ａ，２ｂ  取付凹部
５，５ａ，５ｂ，５ｃ  リッド（開閉体）
６，６ａ  ロック部
１０，１０ａ，１０ｂ，１０ｃ，１０ｄ，１０ｅ  ロック装置
２０  リンクロッド
２３  フック部
３０，３０ａ，３０ｂ  リンクロッド
３３  スライダ
３６，３６ａ  フック部
３７  保持突部
４０  ロータ
４３  トーションバネ
５０  ベゼル
５１  凹部
５５  押圧部材
６０  ハウジング
７０  キーシリンダ
７１  カバー
７３  ストライカ
７５  プッシャ
７６  操作部材
８０  ホルダ
８１  凹部
８７  保持レバー
９６  ロックバー
１００  レバー
１０３  押圧アーム
１０５  保持爪
【図１】
2013129100.tif 000003
【図２】
2013129100.tif 000004
【図３】
2013129100.tif 000005
【図４】
2013129100.tif 000006
【図５】
2013129100.tif 000007
【図６】
2013129100.tif 000008
【図７】
2013129100.tif 000009
【図８】
2013129100.tif 000010
【図９】
2013129100.tif 000011
【図１０】
2013129100.tif 000012
【図１１】
2013129100.tif 000013
【図１２】
2013129100.tif 000014
【図１３】
2013129100.tif 000015
【図１４】
2013129100.tif 000016
【図１５】
2013129100.tif 000017
【図１６】
2013129100.tif 000018
【図１７】
2013129100.tif 000019
【図１８】
2013129100.tif 000020
【図１９】
2013129100.tif 000021
【図２０】
2013129100.tif 000022
【図２１】
2013129100.tif 000023
【図２２】
2013129100.tif 000024
【図２３】
2013129100.tif 000025
【図２４】
2013129100.tif 000026
【国際調査報告】
2013129100.tif 000027
2013129100.tif 000028